(57)【特許請求の範囲】
【請求項１】
導液管を外方から挟み込むように装着する一対の筺体から成り、この一対の筺体の夫々の対向面に前記導液管に当接する凹部を形成した磁気的液処理器であって、前記一対の筺体は、開口部を有する箱形の収納容体と，この収納容体の内部に収納配設する磁石付の取付部材と，前記収納容体の開口部を閉塞する蓋体とから成ると共に、前記磁石付の取付部材を収納配設した収納容体の開口部に前記蓋体を溶着することで密閉状態の前記筺体に構成し、この密閉状態の前記筺体内に脱酸素剤等を収納配設するか若しくは密閉状態の前記筺体内を真空状態とすることを特徴とする磁気的液処理器。
【請求項２】
前記収納容体と前記蓋体とを樹脂製とし、この収納容体の開口部に蓋体を超音波溶着することで密閉状態の前記筺体を構成したことを特徴とする請求項１記載の磁気的液処理器。
【請求項３】
前記筺体の外側面に、この筺体の内側面が凸部となる凹所を設けてこの凹所を前記凹部とし、前記磁石付の取付部材のこの磁石は、この凹部の裏側の凸部に密着当接状態で配置されるように構成すると共に、この磁石が当接する凸部の当接部を肉薄に形成して、一対の筺体内に夫々収納配設されるこの磁石の対向間隔を狭くしたことを特徴とする請求項１，２のいずれか１項に記載の磁気的液処理器。
【請求項４】
前記収納容体の内側面と前記蓋体の内側面とのいずれか一方若しくは双方に前記磁石付の取付部材に近接若しくは当接する突片を設け、この突片の先端部に弾性変形可能な先端突起を設けて、この先端突起が取付部材を収納配設した収納容体に蓋体を溶着した際に取付部材に係止して弾性変形するように構成すると共に、この先端突起の変形復帰力により前記筺体内で取付部材のガタつきが防止されるように構成したことを特徴とする請求項１〜３のいずれか１項に記載の磁気的液処理器。
【発明の詳細な説明】
【０００１】
【発明の属する技術分野】
本発明は、水道管などの導液管に取り付けすることで導液管を通る液体を磁気的に処理できる磁気的液処理器に関するものである。
【０００２】
【従来の技術及び発明が解決しようとする課題】
水分子（Ｈ２Ｏ）は極性分子であるため、様々な会合状態で存在することが知られている。
【０００３】
この粗粒子となった多数の水分子は、強力な磁場を通過させることで微粒子化して低クラスター水となる（ＭＨＤ原理）ことが知られており、このようにして微粒子化した水は磁気水と呼ばれ、未処理の水道水よりも、保湿，浸透，溶解，洗浄，抗菌，熱伝導性において秀れた効能を発揮する。
【０００４】
一方、最近、家庭用水道水の汚染が大きな問題となり、これに伴って家庭用浄水器などを利用する家庭も急増してきているが、このような磁気的処理水を家庭用水として使用することも考えられている。
【０００５】
この磁気水は、単に水道管の外周に協力な磁石を配置して管内に磁場を形成し、この管内に水道水を通過させるだけで得ることができるので、従来、既存の水道管へ簡単に後付け設置できる磁気的液処理器が提案されている。
【０００６】
この磁気式活水器は、中空の円柱または多角柱を二つ割にした箱型の収納容体と、水道管を収容する湾曲溝を有する蓋板とからなる筺体を備え、この筺体内に磁石を収容した一対のユニットから構成されているもので、この一対のユニットを、蓋板の湾曲溝内に水道管を両側から挟むように対向させて配置することにより、水道管に磁場を形成できるものであった。
【０００７】
また、このような従来の磁気式活水器には、二つ割の筺体内に水が容易に侵入してしまうと、これが原因で内部の磁石及び磁石吸着固定用の鉄板などが腐食して磁気処理能力が減退してしまうことになるので、一般に筺体は防水構造となっている。
【０００８】
従来、この筺体の防水構造としては、収納容体と蓋板との装着面にゴムパッキンやシール剤などの防水材を設けた構造が一般的であるが、この構成ではゴムパッキンやシール剤が徐々に劣化して硬化してしまうために時間の経過と共に防水作用が低下し、長期にわたって持続的に磁気的処理効果を発揮できないという欠点があった。
【０００９】
本発明は、このような従来の磁気式活水器の防水構造の欠点に注目し、水の侵入を十分に防止できる上に、この防水効果が半永久的に持続することになる画期的な磁気的液処理器を提供することを目的としている。
【００１０】
【課題を解決するための手段】
添付図面を参照して本発明の要旨を説明する。
【００１１】
導液管１を外方から挟み込むように装着する一対の筺体２から成り、この一対の筺体２の夫々の対向面に前記導液管１に当接する凹部３を形成した磁気的液処理器であって、前記一対の筺体２は、開口部４Ａを有する箱形の収納容体４と，この収納容体４の内部に収納配設する磁石５付の取付部材６と，前記収納容体４の開口部４Ａを閉塞する蓋体７とから成ると共に、前記磁石５付の取付部材６を収納配設した収納容体４の開口部４Ａに前記蓋体７を溶着することで密閉状態の前記筺体２に構成し、この密閉状態の前記筺体２内に脱酸素剤10等を収納配設するか若しくは密閉状態の前記筺体２内を真空状態とすることを特徴とする磁気的液処理器に係るものである。
【００１２】
また、前記収納容体４と前記蓋体７とを樹脂製とし、この収納容体４の開口部４Ａに蓋体７を超音波溶着することで密閉状態の前記筺体２を構成したことを特徴とする請求項１記載の磁気的液処理器に係るものである。
【００１３】
また、前記筺体２の外側面に、この筺体２の内側面が凸部８となる凹所を設けてこの凹所を前記凹部３とし、前記磁石５付の取付部材６のこの磁石５は、この凹部３の裏側の凸部８に密着当接状態で配置されるように構成すると共に、この磁石５が当接する凸部８の当接部８Ａを肉薄に形成して、一対の筺体２内に夫々収納配設されるこの磁石５の対向間隔を狭くしたことを特徴とする請求項１，２のいずれか１項に記載の磁気的液処理器に係るものである。
【００１４】
また、前記収納容体４の内側面と前記蓋体７の内側面とのいずれか一方若しくは双方に前記磁石５付の取付部材６に近接若しくは当接する突片９を設け、この突片９の先端部に弾性変形可能な先端突起９Ａを設けて、この先端突起９Ａが取付部材６を収納配設した収納容体４に蓋体７を溶着した際に取付部材６に係止して弾性変形するように構成すると共に、この先端突起９Ａの変形復帰力により前記筺体２内で取付部材６のガタつきが防止されるように構成したことを特徴とする請求項１〜３のいずれか１項に記載の磁気的液処理器に係るものである。
【００１５】
【発明の実施の形態】
好適と考える本発明の実施の形態（発明をどのように実施するか）を、図面に基づいてその作用効果を示して簡単に説明する。
【００１６】
収納容体４の開口部４Ａに蓋体７を溶着して密閉状態とした筺体２は、この筺体２外部から内部に浸水することが確実に防止され、更に収納容体と蓋体との装着面にゴムパッキンを設けたりシール剤を塗布する従来例のようにゴムパッキンやシール剤が劣化してしまうこともないから、この筺体２内の密閉状態はこの筺体２が壊れない限り半永久的に保たれることになる。
【００１７】
また、密閉状態の前記筺体２内に脱酸素剤10等を収納配設するか若しくは密閉状態の前記筺体２内を真空状態としたため、密閉された筺体２内での結露もないから確実に磁石５や取付部材６の腐食を防止できることになる。
【００１８】
従って、長期間にわたって防水効果が持続することとなり、これによって筺体２内の磁石５の腐食が防止されることは勿論、この磁石５を取り付ける取付部材６が金属製であったとしても腐食することが防止されるから磁石５の磁力が減退することがなく、長期にわたって磁気的処理能力が失われない極めて実用性・商品性に秀れた画期的な磁気的液処理器となる。
【００１９】
また、例えば、前記収納容体４と前記蓋体７とを樹脂製とし、この収納容体４の開口部４Ａに蓋体７を超音波溶着する構成とすれば、収納容体４と蓋体７との溶着構造を簡易に且つコスト安に設計実現可能となり、一層実用的となる。
【００２０】
また、例えば、前記筺体２の外側面に、この筺体２の内側面が凸部８となる凹所を設けてこの凹所を前記凹部３とし、前記磁石５付の取付部材６のこの磁石５は、この凹部３の裏側の凸部８に密着当接状態で配置されるように構成すると共に、この磁石５が当接する凸部８の当接部８Ａを肉薄に形成して、一対の筺体２内に夫々収納配設されるこの磁石５の対向間隔を狭くすれば、対向する磁石５間の間隔が狭ければ狭い程磁石５間には強い磁力が及ぶので、この対向間隔の狭い磁石５間の凹部３に配される導液管１には極めて強い磁力が及ぶこととなり、導液管１を通る液体に極めて良好な磁気処理効果が得られることになる。
【００２１】
また、例えば、前記収納容体４の内側面と前記蓋体７の内側面とのいずれか一方若しくは双方に前記磁石５付の取付部材６に近接若しくは当接する突片９を設け、この突片９の先端部に弾性変形可能な先端突起を９Ａを設けて、この先端突起９Ａが取付部材６を収納配設した収納容体４に蓋体７を溶着した際に取付部材６に係止して弾性変形するように構成すると共に、この先端突起９Ａの変形復帰力により前記筺体２内で取付部材６のガタつきが防止されるように構成すれば、磁石５付の取付部材６がガタつくことによって異音を発したりすることがないから、一層商品性が向上することになる。
【００２２】
【実施例】
本発明の具体的な実施例について図面に基づいて説明する。
【００２３】
本実施例は、導液管１を外方から挟み込むように装着する一対の筺体２から成り、この一対の筺体２の夫々の対向面に前記導液管１に当接する凹部３を形成した磁気的液処理器に係るものである。
【００２４】
具体的には、一対の筺体２は各々が、開口部４Ａを有する箱形収納容体４と，この収納容体４の内部に収納配設する磁石５付の取付部材６と，前記収納容体４の開口部４Ａを閉塞する蓋体７とから成る構成としている。
【００２５】
本実施例の収納容体４は、図１に示すように、上部が開口する樹脂製の横長箱体に形成している。
【００２６】
また、この横長の収納容体４の下面には、この収納容体４の長さ方向に沿って収納容体４の内側面が凸部８となる長い湾曲状の凹所を設け、この凹所を前記凹部３として構成している。即ち、本実施例では、この収納容体４の下面が前記筺体２の対向面となる構成である。
【００２７】
また、この収納容体４の隅部には、一対の筺体２を対向状態に装着固定するためのボルトなどの止着部材17を嵌挿する止着孔11を形成し、更に、この隅部の下面には前記凹部３を間に置いて左右に位置決め突体12と位置決め孔13とを設け、この位置決め突部12と位置決め孔部13とを係止することで、一対の筺体２の対向状態が確固に位置決めされる構成としている。
【００２８】
また、この収納容体４の左右側壁部から底面部にかけての内面に、Ｌ字状の突片９を所定間隔を置いて複数突設し、この左右側壁部からの突片９は、収納容体４内に収納配設した取付部材６の左右側壁部に当接し得るように突出度を設定して、収納容体４内での取付部材６の横ズレを防止している。
【００２９】
また、本実施例では図示していないが、このＬ字状の突片９にも、後述する蓋体７の突片９と同様に、先端部に弾性変形可能な先端突起９Ａを設ける構成としても良く、このように構成すれば、この左右側壁部の先端突起９Ａが収納容体４内に取付部材６を収納配設した際に、この取付部材６の左右側壁部にこの取付部材６を左右から押さえ込むように係止して弾性変形し、この先端突起９Ａの変形復帰力により前記筺体２内で取付部材６の横ズレが防止されることになる。
【００３０】
本実施例の取付部材６は、鉄板を断面略逆Ｕ字状に折曲形成した構成としている。また、この鉄板（取付部材６）は、両側の垂下部を前記収納容体４内の凸部８の両側に配置し得るように横幅寸法を設定すると共に、この両側の垂下部を収納容体４内の凸部８の両側に配置した状態で収納容体４内に収納配設し得るように長さ幅寸法を設定している。
【００３１】
また、この取付部材６の下面中央部に、この取付部材６の長さ方向に数個の磁石５を並設状態に吸磁止着させて前記磁石５付の取付部材６を構成している。尚、磁石５は、磁力が強い永久磁石を採用することが好ましい。
【００３２】
また、本実施例では、図２，図３に示すように、取付部材６を収納容体４内に収納配設した際に、この取付部材６の下面中央部に配された磁石５が、前記凹部３の裏側の凸部８に密着当接した状態で配置されるように構成している。
【００３３】
また、この磁石５が当接する前記凸部８の当接部８Ａは、磁石５の下面全面に密着当接し得る平坦面となるように切り欠くことで肉薄に形成し、この肉薄当接部８Ａに磁石５を密着当接させている。
【００３４】
即ち、このように当接部８Ａを肉薄としたことで、一対の筺体２内に夫々収納配設されるこの磁石５の対向間隔が狭くなって前記凹部３に当接する前記導液管１内の液体までの距離が近づくこととなり、これにより対向間隔の狭い磁石５間の凹部３に配される導液管１には極めて強い磁力が及ぶこととなって、導液管１を通る液体に極めて良好な磁気処理効果が得られることになる構成としている。
【００３５】
尚、対向する磁石５間の間隔は、狭ければ狭い程磁石５間には強い磁力が及び、逆に対向間隔を狭くした状態から少し間隔を広げただけでも、急激に磁力が弱まるので、対向する磁石５間の間隔は可及的に狭い方が良い。
【００３６】
本実施例の蓋体７は、樹脂製であって、前記収納容体４の開口部４Ａを完全に閉塞し得る大きさ寸法の下部開口形の横長浅箱状に形成している。
【００３７】
また、この蓋体７の天（上）壁部内側面に、突片９を所定間隔を置いて複数突設し、この突片９は、この蓋体７で前記取付部材６を収納配設した収納容体４の開口部４Ａを閉塞した際に取付部材６の上壁部に近接状態となるように突出度を設定している。
【００３８】
また、この蓋体７に設けた突片９には、図４の（ａ）に示すように、先端部に弾性変形可能な先端突起を９Ａを設け、この先端突起９Ａが取付部材６を収納配設した収納容体４に蓋体７を溶着した際に、図４の（ｂ）に示すように、取付部材６の上面にこの上面を押さえ込むように当接係止してこの上面形状にならって弾性変形し、この先端突起９Ａの変形復帰力により前記筺体２内で取付部材６が押さえ付けられて上下にガタつくことが防止されるように構成している。
【００３９】
また、この突片９と先端突起９Ａとにより、取付部材６に取り付けた磁石５が前記肉薄当接部８Ａに密着当接させられる構成としている。
【００４０】
従って、前記収納容体４に設けた突片９により取付部材６の横ズレが防止され、更にこの蓋体７に設けた突片９並びに先端突起９Ａにより取付部材６の上下のガタつきが防止されるので、筺体２内での取付部材６は上下左右にガタつくことが確実に防止されて異音を発したりすることがない秀れた構成となり、また、この際磁石５が確実に当接部８Ａに密着当接して対向する磁石５間隔が狭幅に保持され、良好な磁気的液処理効果を発揮し得ることになる構成としている。また、このガタつき防止構造は簡易に設計実現可能な構成であり、量産性に秀れ安価に構成可能となる。
【００４１】
また、この蓋体７の前記収納容体４の開口部４Ａへの溶着構造について説明すると、本実施例では、収納容体４と蓋体７とが樹脂であることから、超音波溶着することで密閉状態の前記筺体２を構成している。
【００４２】
更に詳しくは、蓋体７の下部開口周縁部全周に係止突部14を形成する一方、収納容体４の上部開口周縁部全周に前記係止突部14を係止する係合溝15を形成し、この係止突部14と係合溝15とを係止させて超音波溶着した構成としている。
【００４３】
また、本実施例では、密閉状態の前記筺体２内に脱酸素剤10を収納配設した構成とし、これにより密閉された筺体２内での結露も生じないようにして、磁石５や取付部材６の腐食を確実に防止できるようにしている。
【００４４】
尚、密閉状態の前記筺体２内を真空状態とすることで上記作用効果が得られるように構成しても良いし、密閉状態の前記筺体２内を真空状態とした上で、更に筺体２内に脱酸素剤10を収納配設する構成としても良い。
【００４５】
次に、具体的にな取付方法について説明する。
【００４６】
一対の筺体２を、夫々の凹部３を対向させてこの凹部３間に水道管などの導水管１を配置し、前記位置決め突体12と位置決め孔13とを係止させた上で、前記止着孔11を利用してボルト等の止着部材17で一対の筺体２を対向状態に固定し、導水管１に本実施例の磁気的液処理器を設置する。
【００４７】
例えば、図５に示すように、水道管元の導水管１にこの磁気的液処理器を装着すれば、家中全部の蛇口16から磁気水が得られることになる。尚、この磁気的液処理器を装着する導水管１は、例えば塩ビ製の管などに交換しておくことが好ましく、このように塩ビ製の管などの磁力に影響を及ぼさない材質の管に装着する構成とした方が管内の液体に良好な磁力作用が及び、良好な磁気的処理効果が得られることになる。
【００４８】
従って、本実施例では上述のように構成したから、収納容体４の開口部４Ａに蓋体７を溶着して密閉状態とした筺体２は、この筺体２外部から内部に浸水することが確実に防止され、更に収納容体と蓋体との装着面にゴムパッキンを設けたり、シール剤を塗布する従来例のようにゴムパッキンやシール剤が劣化してしまうこともなく、且つ筺体２内での結露もないから、この筺体２内の密閉状態はこの筺体２が壊れない限り半永久的に保たれることになる。
【００４９】
従って、長期間にわたって防水効果が持続することとなり、これによって筺体２内の磁石５も取付部材６も腐食することが防止されるから磁石５の磁力が減退することがなく、長期にわたって磁気的処理能力が失われない極めて実用性・商品性に秀れた画期的な磁気的液処理器となる。
【００５０】
【発明の効果】
本発明は上述のように構成したから、収納容体と蓋体との装着面にゴムパッキンやシール剤を設ける従来例のようにゴムパッキンやシール剤が劣化してしまうこともなく、筺体内の密閉状態はこの筺体が壊れない限り半永久的に保たれることになり、しかも、密閉された筺体内での結露も防止されるから、これによって筺体内の磁石の腐食が確実に防止されることは勿論、この磁石を取り付ける取付部材が金属製であったとしても腐食することが確実に防止されるから磁石の磁力が減退することがなく、長期にわたって磁気的処理能力が失われないこととなる極めて実用性・商品性に秀れた画期的な磁気的液処理器となる。
【００５１】
また、請求項２記載の発明においては、収納容体と蓋体との溶着構造を簡易に且つコスト安に設計実現可能となる一層実用性に秀れた磁気的液処理器となる。
【００５２】
また、請求項３記載の発明においては、対向間隔を狭くした磁石間の凹部に配される導液管に極めて強い磁力が及ぶこととなって、この導液管を通る液体に極めて良好な磁気処理効果が得られることになる一層実用性に秀れた磁気的液処理器となる。
【００５３】
また、請求項４記載の発明においては、磁石付の取付部材がガタつくことによって異音を発したりすることがない一層商品性に秀れた磁気的液処理器となる。
【図面の簡単な説明】
【図１】本実施例を示す一方の筺体を分解した説明斜視図である。
【図２】本実施例の部分拡大側断面図である。
【図３】本実施例の拡大正断面図である。
【図４】本実施例の先端突起を設けた突片並びにこの先端突起の作用を示す部分拡大説明図である。
【図５】本実施例の使用状態を示す説明図である。
【符号の説明】
１  導液管
２  筺体
３  凹部
４  収納容体
４Ａ  開口部
５  磁石
６  取付部材
７  蓋体
８  凸部
８Ａ  当接部
９  突片
９Ａ  先端突起
10  脱酸素剤
【図１】
0003588274.tif 000002
【図２】
0003588274.tif 000003
【図３】
0003588274.tif 000004
【図４】
0003588274.tif 000005
【図５】
0003588274.tif 000006